(57)【要約】      （修正有）【課題】市販の掃除シートを装着することができ経済的であり、掃除シートを装着した状態でも滑りにくく安全に掃除をすることができ、一般的な履物と比較して外観の差異が少なく美観に優れた掃除用履物を提供する。【解決手段】甲被１２の外面を覆うように張設又は着設される甲被カバー１３を備えており、底板１１の履口近傍より爪先側の下面と甲被１２の外面に掃除シートを密着包囲させ、甲被カバー１３を伸張又は装着して底板１１若しくは甲被１２又は装着した掃除シートに固定することにより、甲被１２又は底板１１及び甲被１２と甲被カバー１３との間に掃除シートを挟持固定することができる。【選択図】図６
2018089374.tif 000002
【特許請求の範囲】
【請求項１】
足甲を覆う甲被と足底を載せる底板とを備え、該底板の下面に掃除シートを着脱自在に装着することができる掃除用履物であって、
前記甲被の外面を覆うように張設又は着設される甲被カバーを備え、該甲被カバーの履口側の縁部が前記甲被の履口側の縁部に連結され、又は前記甲被カバーが前記甲被に対して着脱可能に構成され、前記甲被カバーの内面又は履口より爪先側に向かう縁部に、前記底板若しくは前記甲被又は装着した前記掃除シートの外面に固定するための固定手段を有しており、
前記底板の履口近傍より爪先側の下面と前記甲被の外面とに密着包囲させた前記掃除シートを、前記甲被又は前記底板及び前記甲被と前記甲被カバーとの間に挟持固定することができる、前記掃除用履物。
【請求項２】
甲被カバーの履口より爪先側に向かう縁部に、底板に掛止するための掛止部が連結されている、請求項１に記載の掃除用履物。
【請求項３】
底板の履口近傍より爪先側に向かう縁部に、掛止部が掛止される被掛止部が形成されている、請求項２に記載の掃除用履物。
【請求項４】
甲被又は底板の履口近傍より爪先側の外面に掃除シートを貼着するための第１貼着部が接合され、甲被カバーの内面に前記掃除シートに貼着するための第２貼着部が接合されている、請求項１に記載の掃除用履物。
【請求項５】
甲被カバーの内面に甲被又は底板に掛合するための掛合部が接合されており、前記甲被の外面又は前記底板の履口近傍より爪先側に向かう縁部に前記掛合部が掛合される被掛合部が接合されている、請求項１に記載の掃除用履物。
【請求項６】
甲被の外面を覆うように着設される甲被カバーを備え、該甲被カバーが前記甲被に対して着脱可能に構成され、前記甲被カバーの履口側の縁部に前記甲被に連結するための連結部が接合されている、請求項１〜５のいずれかに記載の掃除用履物。
【請求項７】
底板の爪先側の先端部、又は底板及び甲被カバーの爪先側の先端部が、平面視で先細る略三角形状に形成されている、請求項１〜６のいずれかに記載の掃除用履物。
【請求項８】
さらに、爪先側の先端部が平面視で先細る略三角形状に形成されている第２底板を備え、底板の下面及び／又は前記第２底板の上面に貼着部が接合されており、前記第２底板が前記底板に対して着脱可能に構成されている、請求項１〜６のいずれかに記載の掃除用履物。
【発明の詳細な説明】
【技術分野】
【０００１】
本発明は、掃除シートを装着することができる掃除用の履物に関する。より詳しくは、底面に掃除シートを着脱自在に装着することができ、歩行することで効率よく安全に掃除をすることができ、さらに美観にも優れた掃除用の履物、特に掃除用の室内履物に関する。
【背景技術】
【０００２】
室内清掃において床面の埃やゴミを取り除くためには、雑巾や掃除シート、モップなどで拭き取ったり、箒で室外に掃き出したり、掃除機で吸い込んだりするのが一般的な方法である。
【０００３】
しかし、雑巾や掃除シートなどの小さな掃除用具を用いて広い床面を掃除するためには大きな労力が必要となる。また、モップや箒、掃除機等の大きな掃除用具を収納庫から取り出して掃除することは、必ずしも簡便ではないため１日１〜２回程度が限界である。
【０００４】
そこで、底面に掃除シートを装着することができるスリッパなどの室内履物が提案されている。例えば特許文献１には、スリッパの底材に止め具を４ヶ所設けて掃除シートを装着できるスリッパが開示されている。また特許文献２には、スリッパの辺縁に固定具を取り付けて掃除シートなどを装着できるスリッパが開示されている。
【０００５】
これらの掃除用スリッパを履いて室内を普通に歩行することにより、無意識に少ない労力で広い床面を効率よく掃除することができる。また、市販の掃除シートをそのまま使用することができるため経済的である。
【先行技術文献】
【特許文献】
【０００６】
【特許文献１】特開２００５−１４４１１１号公報
【特許文献２】特開２００７−７５５７２号公報
【発明の概要】
【発明が解決しようとする課題】
【０００７】
しかしながら、上記の掃除用スリッパでは掃除シートを装着すると底面全体が掃除シートで覆われるため、掃除効率は高くなるものの、体重がかかる履き口より踵側の底面も掃除シートで覆われるため、滑りやすく危険である。特に小児や高齢者による使用や階段の昇降等の動作には注意が必要である。
【０００８】
また、掃除シートを装着するための構造や、掃除シートを折り込んだ部分が外観に大きく現れるため、通常のスリッパと比較して無骨で美観に劣り、さりげなく使用して掃除をすることができない。
【０００９】
本発明では、市販の掃除シートを使用することができ経済的でありながら、掃除シートを装着した状態でも滑りにくく安全に掃除をすることができ、さらに一般的な履物と比較して外観の差異が少なく美観にも優れた、掃除用履物を提供することを目的とする。
【課題を解決するための手段】
【００１０】
上記課題を解決するため、本発明の掃除用履物は、足甲を覆う甲被と足底を載せる底板とを備え、該底板の下面に掃除シートを着脱自在に装着することができる掃除用履物であって、前記甲被の外面を覆うように張設又は着設される甲被カバーを備え、該甲被カバーの履口側の縁部が前記甲被の履口側の縁部に連結され、又は前記甲被カバーが前記甲被に対して着脱可能に構成され、前記甲被カバーの内面又は履口より爪先側に向かう縁部に、前記底板若しくは前記甲被又は装着した前記掃除シートの外面に固定するための固定手段を有しており、前記底板の履口近傍より爪先側の下面と前記甲被の外面とに密着包囲させた前記掃除シートを、前記甲被又は前記底板及び前記甲被と前記甲被カバーとの間に挟持固定することができる、前記掃除用履物である。
【００１１】
本発明の掃除用履物では、甲被カバーの履口より爪先側に向かう縁部に、底板に掛止するための掛止部を連結してもよい。
【００１２】
また、本発明の掃除用履物では、甲被又は底板の履口近傍より爪先側の外面に掃除シートを貼着するための第１貼着部を接合し、甲被カバーの内面に前記掃除シートに貼着するための第２貼着部を接合してもよい。
【００１３】
さらに、本発明の掃除用履物では、甲被カバーの内面に甲被又は底板に掛合するための掛合部を接合し、前記甲被の外面又は前記底板の履口近傍より爪先側に向かう縁部に前記掛合部が掛合される被掛合部を接合してもよい。
【００１４】
本発明の掃除用履物では、装着した掃除シートにより覆われる底板の下面が、履き口の近傍より爪先側の下面に限定される。これにより、体重がかかる踵側の下面は掃除シートにより覆われず直接床面に接触するため、通常の履物と同等のグリップ力を得ることができ滑りにくく安全である。
【００１５】
また、掃除シートを折り込んだ部分が甲被カバーにより覆われるため、外観にはほとんど現れない。これにより、一般的な履物と比較して外観上の差異点が少なくなり美観に優れたものとなる。
【００１６】
また、本発明の掃除用履物において、底板の履口近傍より爪先側に向かう縁部に、掛止部が掛止される被掛止部を形成してもよい。これにより、掃除シートがより強固に底板に固定され歩行時に緩むことが無くなるため、安全性や使用感がより向上する。
【００１７】
さらに、本発明の掃除用履物において、底板の爪先側の先端部、又は底板及び甲被カバーの爪先側の先端部を、平面視で先細る略三角形状に形成してもよい。これにより、足を前後や左右に動かし先端部の略三角形状を利用して、部屋の角隅や壁際の縁を効率よく掃除することができる。
【発明の効果】
【００１８】
本発明の掃除用履物によれば、市販の掃除シートを利用することができ経済的である。また、掃除シートを装着した状態でも滑りにくく安全であり、普通に歩行することで効率的に掃除をすることができる。さらに、装着した掃除シートが外観にほとんど現れず美観にも優れている。
【図面の簡単な説明】
【００１９】
【図１】第１実施形態の掃除用スリッパの甲被カバーを上方に折り曲げた状態を示す斜視図である。
【図２】第１実施形態の掃除用スリッパの甲被カバーを上方に折り曲げて掃除シートで包囲した状態を示す斜視図である。
【図３】第１実施形態の掃除用スリッパを掃除シートで包囲して甲被カバーを張設した状態を示す斜視図である。
【図４】第１実施形態の掃除用スリッパに掃除シートを装着した状態を示す横断面図である。
【図５】第１実施形態の掃除用スリッパに掃除シートを装着して裏返した状態を示す斜視図である。
【図６】第２実施形態の掃除用スリッパの甲被カバーを上方に折り曲げた状態を示す斜視図である。
【図７】第２実施形態の掃除用スリッパを掃除シートで包囲して甲被カバーを張設した状態を示す斜視図である。
【図８】第２実施形態の掃除用スリッパに掃除シートを装着した状態を示す横断面図である。
【図９】第２実施形態の掃除用スリッパに掃除シートを装着した状態の掛止部分を拡大して示す部分断面図である。
【図１０】第２実施形態の掃除用スリッパに掃除シートを装着した状態を示す縦断面図である。
【図１１】第３実施形態の掃除用スリッパの甲被カバーを上方に折り曲げた状態を示す斜視図である。
【図１２】第３実施形態の掃除用スリッパを掃除シートで包囲して甲被カバーを張設した状態を示す斜視図である。
【図１３】第３実施形態の掃除用スリッパに掃除シートを装着した状態を示す横断面図である。
【図１４】第３実施形態の掃除用スリッパに掃除シートを装着した状態の貼着部分を拡大して示す部分断面図である。
【図１５】第４実施形態の掃除用スリッパに掃除シートを装着した状態を示す斜視図である。
【図１６】第４実施形態の掃除用スリッパに掃除シートを装着して裏返した状態を示す斜視図である。
【図１７】第５実施形態の掃除用スリッパの甲被カバーを取り外して掃除シートで包囲した状態を示す斜視図である。
【図１８】第５実施形態の掃除用スリッパを掃除シートで包囲して甲被カバーを着設した状態を示す斜視図である。
【図１９】第６実施形態の掃除用スリッパの甲被カバーを取り外した状態を示す斜視図である。
【図２０】第６実施形態の掃除用スリッパを掃除シートで包囲して甲被カバーを着設した状態を示す斜視図である。
【発明を実施するための形態】
【００２０】
本発明の掃除用履物の実施形態について、以下図面を参照して詳細に説明する。なお、本発明はこれらの実施形態によって限定されるものではなく、本発明の技術的思想を逸脱しない範囲で種々の変更が可能である。
【００２１】
また、説明が省略されている構造、材料、製法等については、当該技術分野の当業者に知られたものであってよく、例えば一般的なスリッパや上履きの構造、材料、製法等と同一又は実質的に同一のものとすることができる。
【００２２】
本明細書においては、本発明の掃除用履物を履いた立位の人間を基準とし、歩く方向を前、その反対方向を後、左足方向を左、右足方向を右、重力方向を下、その反対方向を上として、その位置や方向を説明する。
【００２３】
また、本発明の掃除用履物は左右一対の履物から構成され、左右の履物は対称形状をなすこと以外は基本的に同一の構造であるため、左右一対の履物のうち左の履物のみについて説明し、右の履物についての説明は省略する。さらに、各図において同一符号は同一又は同等の構成要素を表しており、重複する説明は省略する。
【００２４】
本発明の掃除用履物は、甲被の外面を覆うように張設又は着設される甲被カバーを備えていることが特徴である。この甲被カバーの履き口側の縁部は甲被の履き口側の縁部に連結されているか、又は甲被カバーが甲被に対して独立しており着脱可能に構成されている。そして、甲被カバーの内面又は履き口より爪先側に向かう縁部には、底板若しくは甲被の外面又は装着した掃除シートの外面へ固定するための固定手段を有している。この固定手段としては、掛止構造、貼着構造、掛合構造等が例示される。
【００２５】
＜第１実施形態＞
図１〜図３は本発明の第１実施形態である掃除用スリッパ１を左上方から見た斜視図である。図１は甲被カバーを上方にめくり返した状態、図２は掃除シートを密着包囲した状態、図３は甲被カバーを張設した状態を各々示している。
【００２６】
図１〜図３に示すように掃除用スリッパ１は、足底を載せる平面視で略足底形状の底板１１と、底板１１の前後方向中央付近より前方に設けられ、足甲とその近傍を保持する甲被１２とを備えている。
なお、本実施形態では甲被１２が底板１１の前端部まで覆っているが、甲被１２が略帯形状で前端部が開いている形態でもよい。
【００２７】
底板１１は、肌触り及び透湿性に優れる表面層と、可撓性及び衝撃吸収性に優れる中間層と、剛性及び耐摩耗性に優れ床面との摩擦係数が大きい裏面層の三層から構成されている。各層は接着剤と縫製により一体的に接合されている。また、縁部が露出する箇所は縁取りテープでくるまれ縫製されている。なお、図面を分かりやすくするために、縁取りテープの一部を省略して図示している。
【００２８】
各層の材料は所定の機能や物性を有するものであれば特に限定されない。例えば、表面層にはポリエステルなどの合成樹脂、綿や麻等の天然素材、中間層にはポリウレタンなどの合成樹脂、裏面層にはポリ塩化ビニルなどの合成樹脂が挙げられる。
【００２９】
また、甲被１２は、肌触りと透湿性に優れる表材及び裏材と、適度な剛性と可撓性を有する中材の三層から構成されている。各材の履き口側の開口縁部は、縁取りテープでくるまれ一体的に縫製されている。また、履き口より爪先側に向かう縁部は、底板１１の表面層と中間層との間に差し込まれ接着剤と縫製により一体的に接合されている。
【００３０】
各材の材料は所定の機能や物性を有するものであれば特に限定されない。例えば、表材及び裏材にはポリエステルなどの合成樹脂、綿や麻等の天然素材、中材にはナイロンなどの合成樹脂が挙げられる。
【００３１】
さらに、掃除用スリッパ１は、甲被１２の外面を覆うように張設される甲被カバー１３を備えている。甲被カバー１３の履き口側の縁部は、甲被１２の履き口側の縁部と一緒に縁取りテープでくるまれ接着剤と縫製により接合して連結されている。
【００３２】
甲被カバー１３の形状は、掃除シートをしっかりと挟持する固定力と掃除シートをなるべく隠す美観の観点から、甲被１２の外形と略相似形状であることが好ましい。その相似比は、甲被カバーの材料、掃除シートの固定力、甲被及び掛止部との接合しろの寸法、耐久性等を考慮して最適な範囲に設定される。
【００３３】
甲被カバー１３の材料は、伸び縮み容易な伸縮性と耐久性を有する材料が好ましい。例えば、ポリエステル、ポリウレタン、ナイロン、合成ゴム、各種エラストマーなどの合成樹脂からなる、シート、織布、メッシュ素材等の伸縮性部材が挙げられる。本実施形態では、合成ゴム製シートにナイロン製ニットがラミネートされた厚さ１．５ｍｍのシートを使用している。
【００３４】
なお、甲被カバーを甲被と同等の剛性と可撓性を有する構造として、甲被カバーの履き口側の縁部と甲被の履き口側の縁部とを、伸縮性と耐久性とを有する伸縮性部材を介して連結する構造としてもよい。連結する箇所は、履き口側の縁部の全周又は一部分のいずれでもよい。
【００３５】
具体的には、甲被カバーを甲被と同等の材料と構造で作製して、その履き口側縁部の左右２箇所を、ポリウレタン、合成ゴム、各種エラストマーなどの合成樹脂からなる、シート、織布、メッシュ素材等の伸縮性部材で連結する構造が例示される。
【００３６】
また、甲被カバー１３の履き口より爪先側に向かう縁部には、甲被カバー１３を底板１１に掛止するための掛止部１４が連結されている。掛止部１４の形状は、甲被カバーの底板への掛止力と掛止部の耐久性の観点から、甲被カバーの履き口より爪先側に向かう縁部全周にわたって連結されている形状が好ましい。
【００３７】
掃除用スリッパ１の掛止部１４は、甲被カバー１３の履き口より爪先側に向かう縁部全周に沿って、略Ｕ字型をなす平板状部材により構成されている。掛止部１４の外周縁部は、甲被カバー１３の履き口より爪先側に向かう縁部と一緒に縁取りテープ１５でくるまれ接着剤と縫製により接合して連結されている。
【００３８】
一方、掛止部１４の内周縁部は、底板１１の外周側面よりもやや内側に入り込み、底板１１の下面と掛止部１４の内周縁部の上面とが当接するようにツバ状に突出している。
なお、本発明における掛止部の形状は、上記形状に限定されず、甲被カバーの縁部の一部分に連結された１つ又は２つ以上の掛止片、フック状やピン状等の形状でもよい。
【００３９】
掛止部１４の材料は、適度な剛性と可撓性を有するものが好ましい。例えば、ポリエチレン、ポリプロピレン、ポリ塩化ビニル、ナイロンなどの合成樹脂が挙げられる。本実施形態ではポリエチレン製の厚さ２．０ｍｍの平板状部材を使用している。
【００４０】
また、本発明では市販されている一般的な掃除シートを使用することができる。例えば、ポリエステルやポリプロピレンなどの合成繊維、パルプや綿などの天然素材を主原料とする、不織布や織布、紙製の掃除シートが挙げられる。ドライタイプ及びウェットタイプのいずれも使用することができる。また必要に応じて、薄めの古布等を使用することもできる。
【００４１】
ここで、図４は図３中のＡ−Ａ線における横断面図であり、図５は掃除シートを装着して裏返した状態を左上方から見た斜視図である。
【００４２】
図４及び図５に示すように、掃除用スリッパ１の甲被カバー１３を底板１１に掛止した状態では、履き口近傍から爪先側に向かう縁部全周にわたり、掛止部（掛止片）１４の内周縁部の上面が、掃除シート１６を挟んで、底板１１の外周縁部の下面に当接している。掛止片１４が底板１１の下面と当接する幅は、甲被カバーの掛止力、掃除シートの固定力、着脱の操作感、歩行時の使用感等を考慮して最適な範囲に設定される。
【００４３】
次に、掃除用スリッパ１に掃除シート１６を装着する手順について説明する。最初に図１のように甲被カバー１３を上方にめくり返す。次いで図２のように掃除シート１６を底板１１の履き口近傍より爪先側の下面と甲被１２の外面とを包み込むように密着包囲して折り込む。そして図３のように甲被カバー１３を甲被１２の外面を覆うように伸張させ、掛止片１４を底板１１に掛止して甲被カバー１３を張設する。
【００４４】
したがって、図４及び図５に示すように掃除シート１６は、底板１１及び甲被１２と甲被カバー１３及び掛止片１４との間に挟持され十分に固定される。これにより、一般的な歩行動作では装着した掃除シート１６が緩むことは少なく、滑りにくく安全で優れた使用感を得ることができる。
【００４５】
＜第２実施形態＞
また、図６及び図７は本発明の第２実施形態である掃除用スリッパ２を左上方から見た斜視図である。図６は甲被カバーを上方にめくり返した状態、図７は掃除シートを密着包囲して甲被カバーを張設した状態を各々示している。なお、掃除シートを密着包囲した状態は図２と同様である。
【００４６】
図６及び図７に示すように掃除用スリッパ２には、底板１１の履き口近傍より爪先側に向かう縁部に、掛止部１４が掛止される被掛止部２１が形成されている。被掛止部２１の形状は、甲被カバーの底板への掛止力と被掛止部の耐久性の観点から、底板の履き口近傍より爪側先に向かう縁部全周にわたって形成されていることが好ましい。
【００４７】
掃除用スリッパ２の被掛止部２１は、底板１１の履き口近傍より爪先側に向かう縁部側面の全周にわたり形成された凹溝により構成されている。
なお、本発明における被掛止部の形状は、上記形状に限定されず、底板の縁部側面の一部分に形成した１つ又は２つ以上の凹溝や凹孔等の形状でもよい。
【００４８】
ここで、図８は図７中のＢ−Ｂ線における横断面図であり、図９は図８中のＸ部分（掛止部分）を拡大した部分断面図であり、図１０は図７中のＣ−Ｃ線における縦断面図である。
【００４９】
図８〜図１０に示すように掃除用スリッパ２では、被掛止部（掛止溝）２１が、底板１１を構成する中間層１１ｂの履き口より爪先側に向かう縁部側面の全周にわたり形成された凹溝により構成されている。
【００５０】
そして、掃除用スリッパ２の甲被カバー１３を底板１１に掛止した状態では、履き口近傍から爪先側に向かう縁部全周にわたり、掛止片１４の内周縁部が、掃除シート１６を挟んで、掛止溝２１の内部に挿入され嵌合している。掛止片１４が掛止溝２１と嵌合する幅は、甲被カバーの掛止力、掃除シートの固定力、着脱の操作感、耐久性等を考慮して最適な範囲に設定される。
【００５１】
次に、掃除用スリッパ２に掃除シート１６を装着する手順について説明する。最初に図６のように甲被カバー１３を上方にめくり返す。次いで図２と同様に掃除シート１６を密着包囲させて折り込む。そして図７のように甲被カバー１３を甲被１２の外面を覆うように伸張させて、掛止片１４を掛止溝２１に掛止して甲被カバー１３を張設する。
【００５２】
したがって、図８〜図１０に示すように掃除シート１６は、底板１１及び甲被１２と甲被カバー１３との間に挟持され、さらに掛止片１４により掛止溝２１の内部に押し込まれる。これにより、掃除シート１６がより強固に底板に固定されるため、普通に歩行する時はもちろん、足を前後や左右に動かして掃除シート１６を床面に擦りつけた時でも、装着した掃除シート１６が緩むことはなく、安全性や使用感がさらに向上する。
【００５３】
＜第３実施形態＞
さらに、図１１及び図１２は本発明の第３実施形態である掃除用スリッパ３を左上方から見た斜視図である。図１１は甲被カバーを上方にめくり返した状態、図１２は掃除シートを密着包囲して甲被カバーを張設した状態を各々示している。なお、掃除シートを密着包囲した状態は図２と同様である。
【００５４】
図１１及び図１２に示すように掃除用スリッパ３は、甲被１２の履き口より爪先側に向かう縁部の外面に、密着包囲させた掃除シート１６の内面を貼着するための第１貼着部３１が接合されている。
また、甲被カバー１３の履き口より爪先側に向かう縁部の内面に、貼着した掃除シート１６の外面に貼着するための第２貼着部３２が接合されている。
【００５５】
第１貼着部３１及び第２貼着部３２の貼着手段としては、面ファスナー（いわゆるマジックテープ（登録商標））、粘着テープ、粘着シートなどが挙げられる。脱着の容易性や耐久性等の観点から面ファスナーが好ましい。面ファスナーを用いる場合には、フック面を接合して掃除シートの表面をループ面として貼着する。また、粘着テープなどを用いる場合には、貼着力が低下した場合に交換できる構造が好ましい。
【００５６】
第１貼着部３１の接合位置は、掃除シートの内面に対する十分な貼着力が確保できる最適な位置に設定される。具体的には、甲被の履き口より爪先側に向かう縁部外面、底板の履き口近傍より爪先側に向かう縁部側面、底板の履き口近傍より爪先側の下面等が例示される。第１貼着部３１の形状は、同様に掃除シートの内面に対する十分な貼着力が確保できる最適な形状に設定される。
【００５７】
掃除用スリッパ３の第１貼着部３１は、甲被１２の履き口より爪先側に向かう縁部外面の全周にわたり接着剤により接合された、テープ状の面ファスナーのフック面により構成されている。
なお、本発明における第１貼着部の形状は、上記形状に限定されず、甲被等の縁部の一部分に接合した１つ又は２つ以上のテープ形状や甲被等の外面全体に接合したシート形状でもよい。
【００５８】
また、第２貼着部３１の接合位置は、貼着した掃除シートの外面に対する十分な貼着力が確保できる最適な位置に設定される。具体的には、甲被カバーの履き口より爪先側に向かう縁部の内面等が例示される。第２貼着部３２の形状は、同様に貼着した掃除シートの外面に対する十分な貼着力が確保できる最適な形状に設定される。
【００５９】
掃除用スリッパ３の第２貼着部３２は、甲被カバー１３の履き口より爪先側に向かう縁部内面の全周にわたり接着剤により接合された、テープ状の面ファスナーのフック面により構成されている。
なお、本発明における第２貼着部の形状は、上記形状に限定されず、甲被カバーの縁部内面の一部分に接合した１つ又は２つ以上のテープ形状や甲被カバーの内面全体に接合したシート形状でもよい。
【００６０】
ここで、図１３は図１２中のＤ−Ｄ線における横断面図であり、図１４は図１３中のＹ部分（貼着部分）を拡大した部分断面図である。
【００６１】
図１３及び図１４に示すように、掃除用スリッパ３の甲被カバー１３を張設した状態では、履き口から爪先側に向かう縁部全周にわたり、甲被１２の外面に接合した第１貼着部３１に掃除シート１６の内面が貼着し、甲被カバー１３の内面に接合した第２貼着部３２が掃除シート１６の外面に貼着している。第１貼着部３１及び第２貼着部３２の貼着面積は、甲被カバーの掛止力、掃除シートの固定力、着脱の操作感、耐久性等を考慮して最適な範囲に設定される。
【００６２】
次に、掃除用スリッパ３に掃除シート１６を装着する手順について説明する。最初に図１１のように甲被カバー１３を上方にめくり返す。次いで図２と同様に掃除シート１６を密着包囲させて折り込む。この時、包囲した掃除シート１６の内面を甲被１２の履き口より爪先側に向かう縁部外面に接合した第１貼着部３１に強く擦り付けて貼着する。
【００６３】
そして、図１２のように甲被カバー１３を甲被１２の外面を覆うように伸張させて、甲被カバー１３の履き口より爪先側に向かう縁部内面に接合された第２貼着部３２を、貼着した掃除シート１６の外面に強く擦り付けて貼着し、甲被カバー１３を張設する。
【００６４】
したがって、図１３及び図１４に示すように掃除シート１６は、甲被１２と甲被カバー１３との間に挟持され、さらに第１貼着部３１と第２貼着部３２との間に十分に固定される。これにより、一般的な歩行動作では装着した掃除シート１６が緩むことは少なく、滑りにくく安全で優れた使用感を得ることができる。また、構造が単純となるため製造コストを低減することができる。
【００６５】
＜第４実施形態＞
また、図１５及び図１６は本発明の第４実施形態である掃除用スリッパ４を左上方から見た斜視図である。図１５は掃除シートを装着して甲被カバーを張設した状態、図１６は掃除シートを装着して裏返した状態を各々示している。
【００６６】
図１５及び図１６に示すように掃除用スリッパ４では、底板１１の爪先側の先端部４１と甲被カバー１３の爪先側の先端部４２とを、平面視で先細る略三角形状に形成している。また、これに対応して掛止部１４の爪先側の先端部４３を略Ｖ字型に形成している。なお、掃除用スリッパ４のその他の構成要素の構造等は、掃除用スリッパ２と同等である。
【００６７】
これにより、足を前後や左右に動かして先端部の略三角形状を利用することにより、部屋の角隅や壁際の縁を効率よく掃除することができる。先端部の形状は略三角形状であれば特に限定されないが、頂角の角度は角隅の掃除を考慮して９０°以下が好ましく、頂点の位置は力を入れやすいように左右方向中心線よりもやや親指寄りの位置が好ましい。
【００６８】
なお、甲被カバーと掛止部は平面視で略足底形状に形成し、底板の爪先側の先端部のみを平面視で先細る略三角形状に形成してもよい。
また、爪先側の先端部が平面視で先細る略三角形状に形成されている第２底板を別途作製して、底板の下面及び／又は第２底板の上面に貼着部を接合して第２底板を着脱可能に構成してもよい。貼着手段としては、面ファスナー（いわゆるマジックテープ（登録商標））、粘着テープ、粘着シートなどが挙げられる。
【００６９】
底板に対して第２底板を着脱可能に構成することにより、既存の生産設備を活用して履物本体を作製でき、底板と第２底板との間隙を掛止部（掛止溝）としても利用できるため、製造工程を簡素化して製造コストを低減することができる。
【００７０】
＜第５実施形態＞
図１７及び図１８は本発明の第５実施形態である掃除用スリッパ５を左上方から見た斜視図である。図１７は甲被カバーを取り外して掃除シートを密着包囲した状態、図１８は甲被カバーを着設した状態を各々示している。
【００７１】
図１７に示すように掃除用スリッパ５は、甲被カバー５１と甲被１２が互いに独立しており着脱可能に構成されている。甲被カバー５１の材料や構造は、掃除用スリッパ１〜４の甲被カバー１３と同様に伸縮性を有する構造としてもよく、また甲被１２と同様に適度な剛性と可撓性を有する構造としてもよい。製造コストの観点からは、甲被の材料や構造と同等にすることが好ましい。
【００７２】
また、甲被カバー５１の形状は、掃除シートをしっかりと挟持する固定力と掃除シートをなるべく隠す美観の観点から、甲被１２の外形と略相似形状であることが好ましい。その相似比は、甲被カバーの掛止力、掃除シートの固定力、着脱の操作感、掛止部との接合しろの寸法、耐久性等を考慮して最適な範囲に設定される。甲被と同様に適度な剛性と可撓性を持たせる場合にはやや大きめが好ましい。
【００７３】
さらに、甲被カバー５１を掃除シート１６を介して甲被１２にしっかりと固定するために、甲被カバーの履き口側の縁部に１つ又は２つ以上の連結部を接合してもよい。連結手段としては、甲被カバーと甲被を着脱可能にしっかりと固定できる構造であれば特に限定されない。具体的には、手で開閉可能な金属製又は樹脂製の縦断面略Ｕ字型のクリップ、手で曲折可能な可塑性を有する金属製の縦断面略Ｕ字型の止め具等が例示される。
【００７４】
掃除用スリッパ５では、甲被カバー５１の履口側縁部の左右２箇所に、縦断面略Ｕ字型で内面に突起を有する樹脂製のクリップ５２を接着剤で接合しており、装着する際に軽く開き掃除シート１６と甲被１２の履き口側の縁部を挟んで固定する構造としている。なお、掃除用スリッパ５のその他の構成要素の構造等は、掃除用スリッパ２と同等である。
【００７５】
次に、掃除用スリッパ５に掃除シート１６を装着する手順について説明する。最初に図１７のように甲被カバー５１を取り外す。次いで図２と同様に掃除シート１６を密着包囲させて折り込む。そして図１８のように甲被カバー５１を甲被１２の外面を覆うように装着して、クリップ５２を軽く開いて掃除シート１６と甲被１２を挟み、掛止片１４を掛止溝２１に掛止して甲被カバー５１を着設する。
【００７６】
したがって、掃除用スリッパ２と同様に掃除シート１６は、底板１１に強固に固定されるため緩むことはなく、安全性や使用感に優れている。また、甲被カバー５１を着脱可能に構成することにより、掃除シート１６を包囲し甲被カバー５１で覆う作業性が向上する。さらに、甲被カバー５１の材料や構造を甲被１２と同等にすることにより、構造と工程が簡素化され製造コストを低減することができる。
【００７７】
＜第６実施形態＞
図１９及び図２０は本発明の第６実施形態である掃除用スリッパ６を左上方から見た斜視図である。図１９は甲被カバーを取り外した状態、図２０は甲被カバーを着設した状態を各々示している。なお、掃除シートを密着包囲した状態は図１７と同様である。
【００７８】
図１９に示すように掃除用スリッパ６は、甲被カバー６１と甲被１２が互いに独立しており着脱可能に構成されている。また、甲被カバー６１の左右方向中心線付近と履き口より爪先側に向かう縁部の内面に、甲被１２に掛合するための複数の凸部材からなる掛合部６２が接合されている。さらに、甲被１２の左右方向中心線付近と履き口より爪先側に向かう縁部の外面に、掛合部６２を掛合するための複数の凹部材からなる被掛合部６３が接合されている。
【００７９】
掛合部６２及び被掛合部６３を構成する掛合手段としては、掃除シート１６を挟んで凸部と凹部が掛合できる構造であれば特に限定されない。具体的には、金属製又は樹脂製の各種スナップボタンなどが例示される。なお、掛合部６２と被掛合部６３とは互いに掛合できればよく、掛合部が凹部材で被掛合部が凸部材でもよく、凸部材と凹部材が混在した形態でもよい。
【００８０】
掛合部６２及び被掛合部６３の凸凹部の大きさや接合位置は、甲被カバーの掛止力、掃除シートの固定力、着脱の操作感、凸部材と凹部材の位置合わせの容易性、耐久性等を考慮して最適な範囲に設定される。具体的には、直径数ｍｍ〜十数ｍｍの市販のスナップボタンを数個〜十数個使用することなどが例示される。
【００８１】
掛合部６２の接合位置としては、甲被カバーの左右方向中心線付近の内面、履き口より爪先側に向かう縁部の内面等が例示される。
また、被掛合部６３の接合位置としては、甲被の左右方向中心線付近の外面、履き口より爪先側に向かう縁部外面、底板の履き口近傍より爪先側に向かう縁部の側面等が例示される。
【００８２】
掃除用スリッパ６では、計８個の樹脂製スナップボタンを使用しており、甲被カバー６１及び甲被１２の左右方向中心線付近と履き口より爪先側に向かう縁部の内面及び外面に、掛合部（凸部材）６２及び被掛合部（凹部材）６３を接着剤と縫製により接合している。
【００８３】
次に、掃除用スリッパ６に掃除シート１６を装着する手順について説明する。最初に図１９のように甲被カバー６１を取り外す。次いで図１８と同様に掃除シート１６を密着包囲させて折り込む。そして図２０のように甲被カバー６１を甲被１２の外面を覆うように装着し、掛合部６２と被掛合部６３の位置を合わせ、両部を嵌合させて甲被カバー６１を着設する。
【００８４】
したがって、掃除シート１６は、甲被１２と甲被カバー６１との間に挟持され、さらに掛合部（凸部材）６２と被掛合部（凹部材）６３との間に押し込まれる。これにより、掃除シート１６がより強固に固定されるため、普通に歩行する時はもちろん、足を前後や左右に動かして掃除シート１６を床面に擦りつけた時でも、装着した掃除シート１６が緩むことはなく、安全性や使用感がさらに向上する。また、甲被カバー６１を着脱可能に構成することにより、掃除シート１６を装着する作業性が向上し、製造コストを低減することができる。
【００８５】
なお、本発明の掃除用履物の形態は、本実施形態によって限定されるものではなく種々の変更が可能である。例えば、底板を柔らかい素材で薄く作製することにより、床面や家具の凹凸面に対する足底の追随性を高めてもよい。また、底板の履き口近傍より踵側に向かう左右側面に踵側部を設け、後端部に踵後部を設けて靴型の履物とすることもできる。さらに、マンションやビルの廊下や通路等を清掃するための室外の履物としてもよい。
【符号の説明】
【００８６】
１…掃除用スリッパ１、１１…底板、１１ａ…底板の表面層、１１ｂ…底板の中間層、１１ｃ…底板の裏面層、１２…甲被、１３…甲被カバー、１４…掛止部（掛止片）、１５…縁取りテープ、１６…掃除シート。
２…掃除用スリッパ２、２１…被掛止部（掛止溝）。
３…掃除用スリッパ３、３１…第１貼着部、３２…第２貼着部。
４…掃除用スリッパ４、４１…底板の先端部、４２…甲被カバーの先端部、４３…掛止部（掛止片）の先端部。
５…掃除用スリッパ５、５１…着脱可能な甲被カバー、５２…連結部（クリップ）。
６…掃除用スリッパ６、６１…着脱可能な甲被カバー、６２…掛合部（凸部材）、６３…被掛合部（凹部材）。
【図１】
2018089374.tif 000003
【図２】
2018089374.tif 000004
【図３】
2018089374.tif 000005
【図４】
2018089374.tif 000006
【図５】
2018089374.tif 000007
【図６】
2018089374.tif 000008
【図７】
2018089374.tif 000009
【図８】
2018089374.tif 000010
【図９】
2018089374.tif 000011
【図１０】
2018089374.tif 000012
【図１１】
2018089374.tif 000013
【図１２】
2018089374.tif 000014
【図１３】
2018089374.tif 000015
【図１４】
2018089374.tif 000016
【図１５】
2018089374.tif 000017
【図１６】
2018089374.tif 000018
【図１７】
2018089374.tif 000019
【図１８】
2018089374.tif 000020
【図１９】
2018089374.tif 000021
【図２０】
2018089374.tif 000022